(57)【要約】【課題】  接触位置の応力に応じて輝度ムラを抑制することができる電子装置を提供する。【解決手段】  本発明に係る車載装置は、液晶パネル１４４と当該液晶パネル１４４に取り付けられたタッチパネル１４２とを含む表示部１４０と、タッチパネル１４２への操作対象の接触位置を検出するタッチ検出部２００と、接触位置の応力を検出する応力検出部２１０と、接触位置を含む選択された表示領域の輝度を、応力検出部２１０により検出された応力に応じて調整する輝度調整部２４０とを有する。【選択図】  図３
2020173522.tif 000002
【特許請求の範囲】
【請求項１】
液晶パネルと当該液晶パネルに取り付けられたタッチパネルとを含み、前記液晶パネルに画像を表示する画像表示手段と、
前記タッチパネルへの操作対象の接触位置を検出する位置検出手段と、
前記接触位置の応力を検出する応力検出手段と、
前記接触位置を含む選択された表示領域の輝度を、前記応力検出手段により検出された応力に応じて調整する輝度調整手段と、
を有する電子装置。
【請求項２】
前記輝度調整手段は、前記応力の変化量に応じて前記表示領域の輝度の変化量を変化させる、請求項１に記載の電子装置。
【請求項３】
前記輝度調整手段は、前記操作対象がタッチパネルから離れるとき、検出された応力に応じて決定された時定数に従い前記表示領域の輝度の変化量を変化させる、請求項２に記載の電子装置。
【請求項４】
前記輝度調整手段は、前記画像表示手段により表示される画像データの輝度を変化させることで前記表示領域の輝度を調整する、請求項１ないし３いずれか１つに記載の電子装置。
【請求項５】
液晶表示手段はさらに、前記液晶パネルの直下にバックライトを含み、
前記輝度調整手段は、前記表示領域に対応するバックライトの輝度を変化させることで前記表示領域の輝度を調整する、請求項１ないし３いずれか１つに記載の電子装置。
【請求項６】
前記輝度調整手段は、前記表示領域の面積を変化させることで前記表示領域の輝度を調整する、請求項１ないし４いずれか１つに記載の電子装置。
【請求項７】
前記輝度調整手段はさらに、前記接触位置に応じて前記表示領域の輝度の調整を異ならせる、請求項１に記載の電子装置。
【請求項８】
前記輝度調整手段はさらに、前記接触位置またはその周辺にユーザー入力ボタンが表示される場合には、当該ユーザー入力ボタンをハイライトさせる、請求項１に記載の電子装置。
【請求項９】
前記輝度調整手段はさらに、前記接触位置またはその周辺に次の画面で表示されるユーザー入力ボタンが表示される場合には、当該ユーザー入力ボタンをハイライトさせる、請求項１に記載の電子装置。
【発明の詳細な説明】
【技術分野】
【０００１】
本発明は、タッチパネル式液晶表示パネルを備えた電子装置に関し、特にタッチパネルにタッチしたときの輝度ムラの抑制に関する。
【背景技術】
【０００２】
タッチパネルを備えた液晶表示パネルは、タッチ操作時にパネルが撓むと輝度ムラが生じることがある。特に、ＩＰＳ（In Plane Switching）方式の液晶パネルで輝度ムラが生じやすい。特許文献１は、そうした輝度ムラの顕在化を抑制するため、タッチ位置を含む領域の表示色を中間調の色に変更することを開示している。
【先行技術文献】
【特許文献】
【０００３】
【特許文献１】特開２０１５−２２３１６号公報
【発明の概要】
【発明が解決しようとする課題】
【０００４】
近年、液晶表示パネルが薄型化、大型化し、輝度ムラを抑える構造が難しく、それ故、特許文献１に開示されるように、タッチ位置を含む領域の画像データを加工することで、輝度ムラを抑制し、映像品位の低下を防ぐことが検討されている。しかしながら、特許文献１の方法は、タッチ操作時の応力または押圧力を考慮するものではないため、指でタッチした際の力の加減に応じて、輝度ムラが生じる大きさや度合いが変化しても、それに対処することができない、という課題がある。
【０００５】
例えば、図１（Ａ）に示すように、ユーザーが強い力で液晶表示パネル１０をタッチすると、指の周辺の比較的大きな領域Ｓ１において液晶配列の開口度の乱れが大きくなり、その結果、広い範囲で輝度ムラの度合いが大きくなる傾向がある。他方、図１（Ｂ）に示すように、弱い力でタッチした場合には、指の周辺の比較的小さな領域Ｓ２において液晶配列の開口度の乱れが小さく、狭い範囲で輝度ムラの度合いが小さくなる傾向にある。仮に、輝度ムラによって領域Ｓ１、Ｓ２の明るさが他の領域よりも明るくなる場合に、領域Ｓ１、Ｓ２を同程度の中間調の暗さで表示しても、領域Ｓ２の輝度ムラの抑制には十分であっても、領域Ｓ１の輝度ムラの抑制には不十分であり、領域Ｓ１には依然として明るい輝度ムラが残ってしまうことがある。さらに、中間調で表示する領域が領域Ｓ２には十分な大きさであっても、領域Ｓ１には不十分であると、領域Ｓ１の一部に輝度ムラが残ってしまう。
【０００６】
また、図１（Ｃ）に示すように、黒画面の表示中にタッチしたとき、その位置で液晶配列の開口度が乱れ、そこからバックライトの光が漏れ、領域Ｓ３に明るい輝度ムラが生じることがある。タッチしたときの力が強いと、液晶表示パネルの撓みが大きくなり、パネルが元の状態に戻るまでに長い時間がかかると、その間、領域Ｓ３に明るい輝度ムラが継続してしまう。そうすると、ユーザーが領域Ｓ３に表示された入力ボタンを押下したときや、領域Ｓ３の周辺に入力ボタン２０が表示されているとき、あるいは次の画面に切り替わったときに領域Ｓ３の近傍に入力ボタンが表示されるときなどに、入力ボタンを識別し難くなるという課題もある。
【０００７】
本発明は、上記従来の課題を解決し、接触位置の応力に応じて輝度ムラを抑制することができる電子装置を提供することを目的とする。
【課題を解決するための手段】
【０００８】
本発明に係る電子装置は、液晶パネルと当該液晶パネルに取り付けられたタッチパネルとを含み、前記液晶パネルに画像を表示する画像表示手段と、前記タッチパネルへの操作対象の接触位置を検出する位置検出手段と、前記接触位置の応力を検出する応力検出手段と、前記接触位置を含む選択された表示領域の輝度を、前記応力検出手段により検出された応力に応じて調整する輝度調整手段とを有する。
【０００９】
ある実施態様では、前記輝度調整手段は、前記応力の変化量に応じて前記表示領域の輝度の変化量を変化させる。ある実施態様では、前記輝度調整手段は、前記操作対象がタッチパネルから離れるとき、検出された応力に応じて決定された時定数に従い前記表示領域の輝度の変化量を変化させる。ある実施態様では、前記輝度調整手段は、前記画像表示手段により表示される画像データの輝度を変化させることで前記表示領域の輝度を調整する。ある実施態様では、液晶表示手段はさらに、前記液晶パネルの直下にバックライトを含み、前記輝度調整手段は、前記表示領域に対応するバックライトの輝度を変化させることで前記表示領域の輝度を調整する。ある実施態様では、前記輝度調整手段は、前記表示領域の面積を変化させることで前記表示領域の輝度を調整する。ある実施態様では、前記輝度調整手段はさらに、前記接触位置に応じて前記表示領域の輝度の調整を異ならせる。ある実施態様では、前記輝度調整手段はさらに、前記接触位置またはその周辺にユーザー入力ボタンが表示される場合には、当該ユーザー入力ボタンをハイライトさせる。ある実施態様では、前記輝度調整手段はさらに、前記接触位置またはその周辺に次の画面で表示されるユーザー入力ボタンが表示される場合には、当該ユーザー入力ボタンをハイライトさせる。
【発明の効果】
【００１０】
本発明によれば、接触位置の応力に応じて選択された表示領域の輝度を調整するようにしたので、例えば、指でタッチした際の押圧力に応じて変化する輝度ムラの大きさや度合いに応じて輝度ムラを抑制することができる。
【図面の簡単な説明】
【００１１】
【図１】従来のタッチパネル式液晶表示パネルの輝度ムラの課題を説明する図である。
【図２】本発明の実施例に係る車載装置の構成を示す。
【図３】本発明の実施例に係る制御部の機能的な構成を示すブロック図である。
【図４】本発明の実施例に係る接触位置の応力と輝度調整する表示領域のサイズとの関係を規定したテーブルである。
【図５】本発明の実施例に係る接触位置の応力と輝度の変化量または変化率との関係を規定したテーブルである。
【図６】本発明の実施例に係る直下型バックライトの機能を説明する図である。
【図７】接触位置の応力の時間的変化を模式的に示す図である。
【図８】本発明の第２の実施例による応力の変化量に応じた輝度の変化量を説明する図である。
【図９】本発明の第２の実施例による応力の変化量に応じた輝度を調整するサイズの変化の一例を示す図である。
【図１０】本発明の第３の実施例に係る輝度調整を説明する図である。
【発明を実施するための形態】
【００１２】
本発明に係る電子装置は、タッチ入力可能な液晶表示パネルを備えたコンピュータ装置、スマートフォンに代表される多機能型携帯電話端末、ポータブル端末、またはナビゲーション・オーディオ・ビジュアル機能を備えた車載装置であることができる。以下の実施例では、車載装置を例に説明する。
【実施例】
【００１３】
図２は、本発明の実施例の車載装置１００の構成例を示すブロック図である。車載装置１００は、入力部１１０、ナビゲーション部１２０、通信部１３０、表示部１４０、音声出力部１５０、記憶部１６０および制御部１７０を含んで構成される。但し、ここに示す構成は一例であり、車載装置１００は、例えば、オーディオ・ビジュアル機能、テレビ・ラジオ放送の受信機能、車載カメラの映像を表示する機能、アプリケーションソフトウエアを搭載する機能等を包含するものであってもよい。
【００１４】
入力部１１０は、入力キーデバイス、音声入力認識装置、タッチパネルなどを含み、これらのデバイスを介してユーザー入力された指示が制御部１７０へ提供される。タッチパネルは、後述するように表示部１４０の液晶パネルに一体に取り付けられる。
【００１５】
ナビゲーション部１２０は、ＧＰＳ衛星から送信されるＧＰＳ信号および／またはジャイロセンサ等の自立航法センサ等を利用して自車の現在位置を検出し、検出された自車位置周辺の道路地図を表示部１４０に表示させたり、目的地までの最適なルートを探索し、探索されたルートの案内等を行う。通信部１３０は、外部のネットワーク等に接続し、サーバーなどと双方方向の無線通信を可能にする。例えば、ナビゲーション部１２０で使用される道路地図の更新データをダウンロードしたり、アプリケーションソフトウエアなどをダウンロードしたりする。
【００１６】
表示部１４０は、図３に示すように、タッチパネル１４２、液晶パネル１４４およびバックライト１４６を一体に組み込んだユーザーインターフェースを備えた表示ユニットを構成する。液晶パネル１４４に表示される画像は、タッチパネル１４２を透過してユーザーに視認され、ユーザーは、その画像を見て所望の操作をタッチパネル１４２に対して行うことができる。
【００１７】
タッチパネル１４２は、抵抗膜方式、静電容量方式、超音波表面弾性波方式、振動検出方式などから構成される。例えば、静電容量方式であれば、ガラス基板上に複数の静電容量センサが搭載され、指やペン等の操作対象がタッチパネルに接触すると、その接触された位置近傍の静電容量が変化する。また、タッチパネル１４２上にカバーガラスを取り付る構造であってもよい。
【００１８】
液晶パネル１４４は、特に限定されないが、例えば、ＩＰＳ方式やＶＡ方式（Vertical Alignment）である。液晶パネル１４４は、例えば、Ｒ、Ｇ、Ｂの三原色の階調を８ビットで規定する２４ビットカラーの画像データによって駆動される。
【００１９】
バックライト１４６は、液晶パネル１４４の裏側に配置され、液晶パネル１４４を裏面側から照射する。バックライト１４６には、エッジタイプのものと、直下型タイプのもの（ローカルディミング）がある。エッジタイプは、液晶パネル１４４のエッジに複数のＬＥＤ等の光源を線状に配置し、光源から発せられた光を液晶パネルの裏面側に反射させる光学部材を含む。これに対し、直下型タイプは、液晶パネル１４４の裏面に複数のＬＥＤ等の光源が２次元的に配置され、光源が液晶パネル１４４の裏面側を直接照射する。直下型タイプの場合、選択された光源の駆動を制御することで、液晶パネル１４４の選択された表示領域の輝度を調整することができる利点がある。
【００２０】
表示部１４０や音声出力部１５０は、例えば、ナビゲーション部１２０による道路地図を表示したり、目的地までのルートの音声案内等を行う。記憶部１６０は、ナビゲーション部１２０に使用される道路地図データを記憶したり、車載装置１００に必要なデータやアプリケーションソフトウエア等を記憶する。
【００２１】
制御部１７０は、車載装置１００の各部の動作を制御する。ある実施態様では、制御部１７０は、ＲＯＭ／ＲＡＭ等を備えたマイクロプロセッサまたはマイクロコントローラを含み、ＲＯＭには、各部を制御するためのプログラムが格納され、制御部１７０は、このプログラムを実行することで各部を制御する。
【００２２】
図３に、制御部１７０に含まれる表示制御機能の構成を示す。同図に示すように、制御部１７０は、タッチパネル１４２への操作対象の接触位置（タッチ位置）を検出するタッチ検出部２００、接触位置の応力を検出する応力検出部２１０、ＲＧＢ画像データに基づき液晶パネル１４４を駆動する液晶駆動部２２０、バックライト１４６を駆動するバックライト駆動部２３０、タッチ検出部２００および応力検出部２１０の検出結果に基づき液晶駆動部２２０やバックライト駆動部２３０を介して接触位置を含む表示領域の輝度を調整する輝度調整部２４０を含んで構成される。これらの各部は、ソフトウエア、ハードウエアあるいはソフトウエアおよびハードウエアによって実施される。
【００２３】
タッチ検出部２００は、タッチパネル１４２の接触位置（Ｘ、Ｙ座標）を検出する。例えば、静電容量方式のタッチパネルでは、ガラス基板上に静電容量を形成するための特定パターンの透明電極が行列状に一定ピッチで配置され、指等を近づけると複数の電極間の静電容量が同時に変化し、この電流量の比率を測定することで接触位置を検出する。タッチ検出部２００は、タッチ検出期間中、例えば、一定周波数でＸ方向の各電極間の静電容量を走査し、これをＹ方向に繰り返すことで、タッチパネルの全ての静電容量を走査し、それぞれの静電容量を順次測定し、これらの測定結果から接触位置を特定する。
【００２４】
応力検出部２１０は、タッチ検出部２００で検出された接触位置の応力を検出する。１つの実施態様では、応力検出部２１０は、タッチ検出部２１０で検出された接触領域の大きさから応力を算出する。タッチ検出部２００は、タッチ検出期間中に、静電容量に変化が生じる領域の中からその変化がピークとなる位置を接触位置として検出するが、その際、タッチパネルを押圧する力が大きくなれば、指の接触面積が増加し、それに伴い静電容量が変化する領域が大きくなる。応力検出部２１０は、タッチ検出期間中、タッチ検出部２００で測定された静電容量が変化する領域（例えば、最大となる領域）から接触位置の応力を算出する。また、別の実施態様では、タッチ検出部２００が接触位置のＺ方向の変化量を検出することができる場合には、応力検出部２１０は、タッチ検出期間中、Ｚ方向の変化量に基づき応力を算出するようにしてもよい。
【００２５】
輝度調整部２４０は、タッチ検出部２００および応力検出部２１０から検出結果を受け取ると、接触位置を含む選択された表示領域の輝度を、接触位置の応力に基づき調整する。
【００２６】
輝度調整部２４０は、バックライト１４６がエッジタイプである場合には、接触位置を含む選択された表示領域の輝度をバックライトにより調整することはできないので、この場合には、液晶パネル１４４に表示される画像データを加工することで、接触位置を含む選択された表示領域の輝度を調整する。
【００２７】
先ず、輝度調整部２４０は、応力検出部２１０により検出された接触位置の応力に基づき、接触位置を含む選択された表示領域のサイズを決定する。つまり、輝度調整を行うべき表示領域のサイズを決定する。輝度調整を行う表示領域は、例えば、接触位置を中心とする円形領域、あるいは矩形領域であるが、それ以外の形状であってもよい。１つの例では、図４に示すように応力とサイズとの関係を規定したテーブルを予め用意しておき、当該テーブルを参照して輝度調整を行うべき表示領域のサイズを決定する（ｒ１＜ｒ２＜ｒ３）。また、他の例では、応力検出部２１０が接触面積から接触位置の応力を算出した場合には、輝度調整部２４０は、タッチ検出期間中に測定された最大接触面積を、輝度調整を行う表示領域のサイズにしてもよい。
【００２８】
次に、輝度調整部２４０は、接触位置を含む選択された表示領域に対応するＲＧＢ画像データの輝度を調整する。輝度ムラによって接触位置を含む領域が明るくなる場合には、画像データの輝度が暗くなるような加工が行われ、反対に、輝度ムラによって接触位置を含む領域が暗くなる場合には、画像データの輝度が明るくなうような加工が行われる。輝度調整部２４０は、例えば、図５に示すように接触位置の応力と輝度の変化量または変化率との関係を規定するテーブルを予め用意し、当該テーブルを参照して画像データの輝度の変化量または変化率を決定することができる。あるいは予め用意された数式に従い画像データの輝度の変化率または変化量を決定するようにしてもよい。いずれの場合にも、接触位置の応力が大きいほど、輝度の変化率または変化量を大きくする。
【００２９】
輝度調整部２４０は、接触位置を含む選択された表示領域に対応する画像データの輝度を変更し、変更した画像データを液晶駆動部２２０に提供する。液晶駆動部２２０は、受け取った画像データに基づき液晶パネル１４４を駆動する。これにより、接触位置を含む選択された表示領域の画像データの輝度が調整され、接触位置を含む領域の輝度ムラが顕在化するのが抑制される。
【００３０】
次に、バックライト１４６が直下型タイプである場合の輝度調整について説明する。輝度調整部２４０は、タッチ検出部２００および応力検出部２１０から検出結果を受け取ると、接触位置を含む選択された表示領域に対応するバックライトの明るさ（輝度）を調整する。輝度調整をすべき表示領域のサイズは、上記と同様の方法により行われる。
【００３１】
直下型バックライトは、液晶パネル１４４の裏面側に複数のＬＥＤ等の光源を配置したものであり、例えば図６に示すように、液晶パネル１４４の裏面側の領域Ａ１〜Ａ８の輝度を選択的に調整することが可能である。例えば、領域Ａ１が他の領域よりも明るくなるようにバックライトの駆動を制御したり、あるいは領域Ａ２が他の領域よりも暗くなるようにバックライトの駆動を制御することが可能である。ここでは、説明を分かり易くするために領域Ａ１〜Ａ８を示したが、実際には、複数の光源がバックライト駆動部２３０に接続され、バックライト駆動部２３０により個々の光源の光量を制御することが可能である。
【００３２】
輝度調整部２４０は、輝度ムラによって接触位置を含む領域が明るくなる場合には、対応するバックライト領域の輝度を暗くし、反対に、輝度ムラによって接触位置を含む領域が暗くなる場合には、対応するバックライト領域の輝度を明るくする。
【００３３】
また、輝度調整部２４０は、上記と同様に、接触位置の応力に応じてバックライドの輝度を変化させるサイズを変化させ（応力が大きいほど、サイズを大きくする）、また、接触位置の応力に応じてバックライトの輝度の変化量または変化率を変化させる（応力が大きいほど、変化量または変化率を大きくする）ことができる。こうして、接触位置を含む選択された表示領域の輝度がバックライトの輝度を変化させることで調整され、接触位置の輝度ムラが顕在化するのを抑制することができる。
【００３４】
次に、本発明の第２の実施例について説明する。本実施例では、接触位置の応力の変化量に応じて、画像データの輝度の変化やバックライトの輝度の変化に時定数を持たせる。つまり、画像データの輝度を時間経過で変化させ、あるいはバックライトの輝度を時間経過で変化させる。指でタッチパネルを押圧すると、その接触位置の応力が増加し、タッチパネルから指を離すと、接触位置の応力が減少する。この様子を模式的に図７に示す。実線は、比較的強い力で押圧したときの応力の時間変化を示し、破線は、比較的弱い力で押圧したときの応力の時間変化を示している。時刻ｔ０のタッチ開始時、応力はゼロである。時刻ｔ１の押圧時、パネルの応力がＰａまで増加する。時刻ｔ１で指がタッチパネルから離れたとき、パネルには撓みが残り、その残留応力が徐々に減少し、時刻ｔ２でパネルが元の状態に回復すると応力がゼロになる。比較的弱い力で押圧した場合も同様であるが、時間ｔ１〜ｔ２のまでのパネルが元の状態に回復するまでの期間が応力Ｐａ、Ｐｂによって異なる。つまり、強い力で押圧した場合には、パネルが元の状態に回復するまでの時間が長くなる。
【００３５】
輝度調整部２４０は、時間ｔ１〜ｔ２の応力の変化量に応じ、画像データの輝度の変化量やバックライトの輝度の変化量を変化させる。すなわち、輝度調整部２４０は、図８に示すように、時刻ｔ０〜ｔ１の期間、画像データやバックライトによる輝度の変化量を一定にするが、時刻ｔ１〜ｔ２の期間、応力の減少に応じて画像データやバックライトの輝度の変化量を徐々にまたは段階的に小さくさせる。さらに輝度調整部２４０は、図９に示すように、時刻ｔ１〜ｔ２の期間、応力の減少に応じて輝度調整すべき表示領域のサイズを徐々にまたは段階的に小さくすることも可能である。
【００３６】
時間ｔ１〜ｔ２の期間の時定数は、例えば、接触位置の応力と時定数との関係を規定したテーブルを予め用意しておき、当該テーブルを参照して時定数を決定してもよいし、タッチ検出部２００または応力検出部２１０で検出された接触位置のＺ値の変化量により算出するようにしてもよい。
【００３７】
次に、本発明の第３の実施例について説明する。液晶表示モジュールの構造（エアギャップタイプ、ボンディングタイプ）、カバーガラスの有無、保持方法、画角の大きさ等により、撓みの仕方は個々の条件により異なる。すなわち、接触位置の違いにより、輝度ムラが生じる大きさ、現れる場所、度合いも異なるため、これをパラメータとして輝度調整を行うサイズ、輝度変化量、画像処理方法、時間を個々に変化させることが可能である。
【００３８】
図１０は、タッチパネル上にカバーガラスを取り付けた液晶表示パネルを例示している。境界Ｈより内側Ｈ１がタッチパネルとして機能するアクティブエリア、外側Ｈ２がカバーガラスエリアである。指でカバーガラス近傍をタッチしたとき、パネルへの応力がカバーガラスの境界Ｈに沿うように広がり、その領域Ｓ４において横方向に延びるような輝度ムラが生じやすい。
【００３９】
第３の実施例では、接触位置がカバーガラスの境界Ｈから一定距離Ｌ１より小さい場合には、輝度調整部２４０は、距離Ｌ１以上のときよりも、接触位置を含む選択された表示領域の輝度変化量を大きくする。また、選択された表示領域の横方向のサイズを、距離Ｌ１以上のときよりも大きくする。これにより、カバーガラス近傍がタッチされたときの輝度ムラの顕在化を効果的に抑制することができる。
【００４０】
また、本発明の変形例として、液晶パネル上にユーザー入力ボタン（ソフトキー）が表示され、接触位置がユーザー入力ボタンに該当するとき、輝度調整部２４０は、ユーザー入力ボタンが見難くなるのを防止するためユーザー入力ボタンをハイライトさせる（輝度を高くする）ことが可能である。また、図１０に示すように、接触位置の周辺に入力ボタン３００が表示されている場合にも、入力ボタンが見難くなるのを防ぐため、輝度調整部２４０は画像データを加工して入力ボタン３００をハイライトさせることが可能である。さらに、指を離した次の画面で入力されるべき位置の入力ボタンを通常のときよりもハイライト表示させることで領域Ｓ４の輝度ムラの残存の影響を抑制するようにしてもよい。
【００４１】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００４２】
１００：車載装置                        １１０：入力部
１２０：ナビゲーション部                １３０：通信部
１４０：表示部                          １４２：タッチパネル
１４４：液晶パネル                      １４６：バックライト
１５０：音声出力部                      １６０：記憶部
１７０：制御部                          ２００：タッチ検出部
２１０：応力検出部                      ２２０：液晶駆動部
２３０：バックライト駆動部              ２４０：輝度調整部
【図１】
2020173522.tif 000003
【図２】
2020173522.tif 000004
【図３】
2020173522.tif 000005
【図４】
2020173522.tif 000006
【図５】
2020173522.tif 000007
【図６】
2020173522.tif 000008
【図７】
2020173522.tif 000009
【図８】
2020173522.tif 000010
【図９】
2020173522.tif 000011
【図１０】
2020173522.tif 000012